(57)【要約】      （修正有）【課題】屋外駐車車両（乗用車等）の各窓グラス、サイドミラー、ヘッドライト・方向指示器部分、テールランプが雹や飛来する小枝等で損傷するのを保護し、又、これら部分に積もり、固まったりしている雪、火山灰、砂の除雪等の労力と時間の負担を軽減する。【解決手段】フロントグラス部分（ワイパー６及び窓グラスを含む）、サイドドアの「窓グラスとドアハンドル」部分、サイドミラー等の形に合せて防水・緩衝強化の軽量の耐久性素材で薄く作った、接着・取外しが容易な複数のカバー本体１を、その周囲が強風でも剥れ難い程強力な耐久性の吸着帯（磁性のゴム等）２、３、４、５でフロントグラス部分、サイドミラー等に夫々接着しておけば、これらの部分の保護が可能になり、又、運転前に駐車場所で各カバーを取去ってカバー上の積雪等を振払い落すことで簡単に極めて短時間に完全な除雪等ができ、負担の大幅軽減が可能になる。【選択図】図１
0003111152.tif 000002
【実用新案登録請求の範囲】
【請求項１】
屋外駐車車両（乗用車等）のフロントグラス部分（ワイパーを含む）、リアグラス部分（ワイパー付きであれば、それを含む）、両サイドの前部及び後部のドアの「グラスとハンドル」部分及び、ヘッドライト・方向指示器部分、サイドミラー及びテールランプが落下する雹（ひょう）や吹き飛ばされて来る小枝等によって損傷するのを保護することを可能にし、又、防水・緩衝強化の軽量の耐久性のある素材を用いて薄く仕上げた長く使用できる、容易に接着・取り外しを行うことを可能とすることを特徴とするこれらの部分の複数の保護カバー。
【請求項２】
同保護カバー本体の周囲４箇所に強風でも剥れ難い程の強力な吸着帯（磁性のゴム等とするが、車体の吸着対象部分が金属ではなく繊維等の場合は磁性でない他の吸着性素材）を付けること、又、この吸着帯付きカバーをフロントグラス部分、両サイドの前部及び後部のドアの「窓グラスとハンドル」部分、ヘッドライト・方向指示器部分、サイドミラー、及びテールランプにかぶせて接着しておき、運転前に駐車場所においてこれらのカバーの上に積もったり、固まったりしている雪、火山灰、砂を、これらカバーを取り去って払い落とすことによって、簡単かつ極めて短時間の除雪、除灰等を可能にすることを特徴とする接着・取り外しが容易な複数の吸着帯付カバー。
【考案の詳細な説明】
【技術分野】
【０００１】  本考案は、屋外駐車車両（乗用車等）の各窓グラス、ドアハンドル、ヘッドライト・方向指示器部分、サイドミラー、テールランプを防護し、又、防水・緩衝強化の軽量の耐久性のある素材を用いて薄く仕上げた長く使用できる、その周囲が強風でも剥れ難い程強力な耐久性の吸着帯（磁性のゴム等とするが、吸着対象が金属ではなく繊維等の場合は磁性でない他の吸着性素材）でできた除雪・除灰・除砂を駐車場所において簡単かつ極めて短時間に行うことを可能にする、接着及び取り外しが容易に行える複数の吸着帯付きカバーに関するものである。
【背景技術】
【０００２】  屋外駐車車両（乗用車等）の各窓グラス、ドアハンドル、ヘッドライト・方向指示器部分、サイドミラー及びテールランプが適切に保護されていないため、落下する雹（ひょう）や強風で吹き飛ばされて来る小枝等で損傷し、修理のための費用と時間を要している。又、各窓グラスをはじめドアハンドル、ヘッドライト・方向指示器部分、サイドミラー及びテールランプに雪、火山灰、砂が積もったり、固まったりしていて、除雪・除灰・除砂を駐車場所において簡単かつ極めて短時間に行うことが必要になっているが、このための一般的方法が考案され実用化されていないので、除雪等に相当の労力と時間を要している。
【考案の開示】
【考案が解決しようとする課題】
【０００３】  車庫内駐車をすれば車体（乗用車等）の保護及び防雪・防灰・防砂が可能であり、除雪・除灰・除砂の必要もないが、車庫の設置は経済的負担が大きく、又、スペースが必要になる。このため北欧の先進諸国をはじめ多くの国において多くの車両が屋外に駐車されているところ、屋外駐車車両が落下する雹や強風で吹き飛ばされて来る小枝等で損傷することがよく起こっており、屋外駐車車両の各窓グラス、ヘッドライト・方向指示器部分、サイドミラー、テールランプの保護が課題となっている。又、降ってくる雪、火山灰、細かい砂が屋外駐車車両のこれらの部分に積もり、固まったりしているのを、駐車場所において簡単に極めて短時間に完全な除雪、除灰、除砂を行うことが課題となっている。屋外駐車車両のこれらの部分の保護を可能にし、又、簡単かつ極めて短時間の完全な除雪等を可能にする車両用の複数の耐久性カバーを提供する。
【課題を解決するための手段】
【０００４】  車両（乗用車等）のフロントグラス部分（ワイパーを含む）及びリアグラス部分（ワイパー付きであれば、それを含む）、両サイドの前部及び後部のドアの「グラスとハンドル」部分及びヘッドライト・方向指示器部分、サイドミラー及びテールランプのそれぞれの形に合せて、防水・緩衝強化素材で複数の保護カバー本体を作る。次いで、各カバー本体の周囲に強風でも剥れ難い程強力な吸着帯（磁性のゴム等）を付けて、これらをそれぞれフロントグラス部分等にかぶせて接着し保護する。又、運転前に駐車場所で各カバーをフロントグラス部分等から取り外して、カバーの上に積もった雪、灰、砂を振り払い落とすことによって、簡単かつ極めて短時間に完全な除雪、除灰、除砂を可能にし、課題を解決する。
【考案の効果】
【０００５】  本考案の屋外駐車車両のフロントグラス部分（ワイパーを含む）、リアグラス、ヘッドライト・方向指示器部分、サイドミラー及びテールランプ用の各保護カバーは、第１に、車体のこれら部分が落下する雹や吹き飛ばされて来る小枝等で損傷するのを保護する効果がある。第２に、駐車場所において簡単に極めて短時間に完全な除雪、除灰、除砂を可能にする効果があり、よって、除雪等に要するかなりの労力と時間の負担の大幅軽減に大きな効果がある。加えて第３に、フロントグラス、リアグラス、サイドミラー等の除雪・除灰・除砂不足に起因する視界不良の状態で運転される車両の走行を無くし、もって運転事故発生の危険性を低め、事故を予防する効果もある。
【考案を実施するための最良の形態】
【０００６】  車体のフロントグラス部分（ワイパーを含む）及びリアグラス部分（ワイパー付きであれば、それを含む）、両サイドの前部及び後部のドアの「グラスとハンドル」部分及びヘッドライト・方向指示器部分、サイドミラー及びテールランプのそれぞれの形状・サイズに合せて、防水・緩衝強化の軽量の耐久性のある素材を用いて薄く仕上げた接着・取り外しが容易な複数のカバー本体を作る。次いで、各カバー本体の周囲４箇所に強風でも剥れ難い程強力な耐久性の吸着帯（磁性のゴム等とするが、車体の吸着対象部分が金属ではなく繊維等の場合は、磁性でない他の吸着性素材）を付ける。そして、これらの各カバーをそれぞれ車体のフロントグラス部分、サイドミラー等の上にぴったりかぶせ、そして片手でかぶせたカバー本体の中心部を押さえ、もう一方の手で同カバーの上部吸着帯、左右各部の吸着帯、及び下部吸着帯を適宜接着し、これにより各カバーがフロントグラス部分、サイドミラー等の上にしっかりかぶせられて強風でも剥れ難くなり、フロントグラス部分、サイドミラー等の保護が可能になる。又、運転前に駐車場所で各カバーの周囲の４つの吸着帯を接着部分から適宜引き離し、各カバーをフロントグラス部分、サイドミラー等から取り外して、積もった雪、灰、砂を振り払い落とすことによって、簡単かつ極めて短時間に完全な除雪、除灰、除砂が可能になる。
【実施例】
【０００７】  以下、添付図面に従って一つの実施例を説明する。１は防水・緩衝強化の軽量の耐久性のある素材を用いて薄く仕上げられたカバー本体、２はカバー本体上部に付けた上部吸着帯、３は下部吸着帯、４は左部吸着帯、５は右部吸着帯である。カバー本体１をフロントグラス部分（ワイパー６及び窓グラス７を含む）等の車体の保護対象部分の上にぴったりかぶせて覆い、同カバー本体１の中心部分を押さえ、もう一方の手で上部吸着帯２、下部吸着帯３、左部吸着帯４、及び右部吸着帯５を適宜接着し、フロントグラス部分等を保護する。運転前に駐車場所において各カバーについてその周囲の四つの吸着帯２、３、４、５を接着部分から適宜引き離し、各カバーをフロントグラス部分等から取り外して、手に持って積もった雪、灰、砂を振り払い落とすことによって、簡単に極めて短時間に完全な除雪、除灰、除砂を行う。
【図面の簡単な説明】
【０００８】
【図１】フロントグラス部分（ワイパーを含む）の保護及び簡易除雪等の為の吸着帯付カバーを示した平面図。
【図２】左前部ドアの「グラス及びドアハンドル」部分の保護及び簡易除雪等の為の吸着帯付カバーを示した平面図。
【図３】サイドミラーの保護及び簡易除雪等の為の吸着帯付カバーを示した平面図。
【図４】左テールランプの保護及び簡易除雪等の為の吸着帯付カバーを示した平面図。
【図５】フロントグラス部分（ワイパー及び窓グラスを含む）の保護及び簡易除雪等の為のカバー本体、及びカバー本体に付けた上部吸着帯と下部吸着帯を折り曲げて車体に接着した状態を示した車体左横から見た断面図。（但し、本図では断面全体を見易いように敢えて左部吸着帯及び右部吸着帯の断面図は省略してある）
【符号の説明】
【０００９】１  カバー本体
２  カバー本体に付けた上部吸着帯
３  カバー本体に付けた下部吸着帯
４  カバー本体に付けた左部吸着帯
５  カバー本体に付けた右部吸着帯
６  ワイパー
７  窓グラス
８  左前部ドアのドアハンドル
９  フロントグラス部分の車体部分
【図１】
0003111152.tif 000003
【図２】
0003111152.tif 000004
【図３】
0003111152.tif 000005
【図４】
0003111152.tif 000006
【図５】
0003111152.tif 000007
【手続補正書】
【提出日】平成17年3月8日(2005.3.8)
【手続補正１】
【補正対象書類名】実用新案登録請求の範囲
【補正対象項目名】全文
【補正方法】変更
【補正の内容】
【実用新案登録請求の範囲】
【請求項１】
車体のほぼ全体を覆うカバー本体と、
前記カバー本体の外縁部に取り付けられたマグネット帯とを備える車体カバー。
【請求項２】
前記マグネット帯は、磁性のゴムからなる請求項１に記載の車体カバー。